(57)【要約】  ワイヤレス通信セルにアクセスするユーザ機器に向けられる方法およびシステムが記載されている。これらの方法およびシステムは、ユーザ機器（１１０）が第１のワイヤレス通信セル（３０６）を選択すること（８０５）と、第１のワイヤレス通信セル（３０６）を提供する基地局（１２４）から第１のシステム情報ブロック（ＳＩＢ）を受信すること（８１５）とを含む。第１のワイヤレス通信セル（３０６）のコアネットワークタイプを示すＳＩＢの入力の内容に基づいて、ユーザ機器（１１０）は、第２のワイヤレス通信セル（３０４）を選択し（８２５）、第２のワイヤレス通信セル（３０４）を提供する第２の基地局（１２２）から第２のＳＩＢを受信する（８３５）。
2021514127.tif 000002
【特許請求の範囲】
【請求項１】
ユーザ機器によって実行される方法であって、
前記ユーザ機器が、第１のワイヤレス通信セルを選択するステップと、
前記第１のワイヤレス通信セルを提供する第１の基地局から第１のシステム情報ブロック（ＳＩＢ）を受信するステップと、
前記第１のＳＩＢの入力に識別子が存在しないことを判断するステップと、
前記第１のＳＩＢの前記入力に前記識別子が存在しないと判断したことに応答して、
第２のワイヤレス通信セルを選択するステップと、
前記第２のワイヤレス通信セルを提供する第２の基地局から第２のＳＩＢを受信するステップとを備える、方法。
【請求項２】
前記識別子は、地上波公共移動通信ネットワーク（ＰＬＭＮ）識別子である、請求項１に記載の方法。
【請求項３】
前記入力は、コアネットワークのタイプを示す、請求項２に記載の方法。
【請求項４】
前記入力は、第五世代新無線（５Ｇ  ＮＲ）ワイヤレス通信プロトコルに関連付けられたＩｎｆｏＬｉｓｔ入力に対応し、前記コアネットワークのタイプが第五世代コア（５ＧＣ）ネットワークであることを示す、請求項３に記載の方法。
【請求項５】
前記入力は、第三世代パートナーシッププロジェクトロングタームエボリューション（３ＧＰＰ  ＬＴＥ）ワイヤレス通信プロトコルに関連付けられたＩｎｆｏＬｉｓｔ入力に対応し、前記コアネットワークのタイプが第五世代コア（５ＧＣ）ネットワークであることを示す、請求項３に記載の方法。
【請求項６】
前記入力は、第三世代パートナーシッププロジェクトロングタームエボリューション（３ＧＰＰ  ＬＴＥ）ワイヤレス通信プロトコルに関連付けられたＩｎｆｏＬｉｓｔ入力に対応し、前記コアネットワークのタイプが進化型パケットコア（ＥＰＣ）ネットワークであることを示す、請求項３に記載の方法。
【請求項７】
前記入力は、第六世代ワイヤレス通信プロトコルに関連付けられたＩｎｆｏＬｉｓｔ入力に対応し、前記コアネットワークのタイプが６Ｇコア（６ＧＣ）ネットワークであることを示す、請求項３に記載の方法。
【請求項８】
前記入力は、第五世代新無線（５Ｇ  ＮＲ）ワイヤレス通信プロトコルに関連付けられたＩｎｆｏＬｉｓｔ入力に対応し、前記コアネットワークのタイプが第六世代コア（６ＧＣ）ネットワークであることを示す、請求項３に記載の方法。
【請求項９】
前記第１のワイヤレス通信セルは、３ＧＰＰ  ＬＴＥエアインターフェイスを使用してアクセス可能であり、第五世代コア（５ＧＣ）コアネットワークに接続される、請求項１に記載の方法。
【請求項１０】
前記ＳＩＢは、システム情報ブロックタイプ１（ＳＩＢ１）である、請求項１に記載の方法。
【請求項１１】
ユーザ機器によって実行される方法であって、
前記ユーザ機器が、第１のワイヤレス通信セルを選択するステップと、
前記第１のワイヤレス通信セルを提供する第１の基地局から第１のシステム情報ブロック（ＳＩＢ）を受信するステップと、
前記第１のＳＩＢの入力に識別子が存在することを判断するステップと、
前記第１のＳＩＢの前記入力に前記識別子が存在すると判断したことに応答して、前記第１のワイヤレス通信セルへのアクセスを禁止するステップとを備える、方法。
【請求項１２】
前記識別子は、地上波公共移動通信ネットワーク（ＰＬＭＮ）識別子である、請求項１１に記載の方法。
【請求項１３】
前記第１のＳＩＢは、システム情報ブロックタイプ１（ＳＩＢ１）である、請求項１１に記載の方法。
【請求項１４】
前記第１のＳＩＢの前記入力は、前記第１のワイヤレス通信セルによってサポートされ、前記第１の基地局が接続されるコアネットワークのタイプを示す、請求項１３に記載の方法。
【請求項１５】
前記コアネットワークのタイプは、進化型パケットコア（ＥＰＣ）ネットワークまたは第五世代コア（５ＧＣ）ネットワークである、請求項１４に記載の方法。
【請求項１６】
前記コアネットワークのタイプは、第六世代コア（６ＧＣ）ネットワークである、請求項１４に記載の方法。
【請求項１７】
前記ユーザ機器が前記第１のワイヤレス通信セルにアクセスすることを禁止したことに応答して、
第２のワイヤレス通信セルを選択するステップと、
前記第２のワイヤレス通信セルを提供する第２の基地局から第２のＳＩＢを受信するステップとをさらに備える、請求項１１に記載の方法。
【請求項１８】
前記第２の基地局が接続されるコアネットワークのタイプは、進化型パケットコア（ＥＰＣ）ネットワーク以外である、請求項１７に記載の方法。
【請求項１９】
ユーザ機器であって、
プロセッサと、
セルアクセスマネージャアプリケーションを有するコンピュータ読取可能記憶媒体とを備え、前記セルアクセスマネージャアプリケーションは、命令を備え、前記命令は、前記プロセッサによって実行されると、前記ユーザ機器に、
前記ユーザ機器が第１のワイヤレス通信セルを選択するように指示し、
前記第１のワイヤレス通信セルを提供する第１の基地局から第１のシステム情報ブロック（ＳＩＢ）を受信するように指示し、
前記第１のＳＩＢの入力に識別子が存在しないことを判断するように指示し、
前記第１のＳＩＢの前記入力に前記識別子が存在しないと判断したことに応答して、
第２のワイヤレス通信セルを選択するように指示し、
前記第２のワイヤレス通信セルを提供する第２の基地局から第２のＳＩＢを受信するように指示する、ユーザ機器。
【請求項２０】
前記命令は、非アクセス層（ＮＡＳ）レイヤおよび無線リソース制御（ＲＲＣ）レイヤに含まれる、請求項１９に記載のユーザ機器。
【発明の詳細な説明】
【背景技術】
【０００１】
背景
無線アクセスネットワーク（ＲＡＮ）の一部である基地局は、ＲＡＮをサポートするコアネットワークのためのワイヤレス通信セルを提供する。一般に、複数の基地局は、１つ以上のコアネットワークのための複数のそれぞれのワイヤレス通信セルを提供し得る。各々のコアネットワークは、第三世代パートナーシッププロジェクトロングタームエボリューション（３ＧＰＰ  ＬＴＥ）ワイヤレス通信をサポートする進化型パケットコア（ＥＰＣ）ネットワークまたは第五世代新無線（５Ｇ  ＮＲ）ワイヤレス通信をサポートする第五世代コア（５ＧＣ）ネットワークなどの同一タイプのネットワークであってもよい。
【０００２】
場合によっては、ユーザ機器は、複数の基地局の伝送範囲内にあって、複数のワイヤレス通信セルにアクセスできる。しかし、このような場合、複数のワイヤレス通信セルの基盤となるコアネットワークは、さまざまである可能性がある。たとえば、ユーザ機器は、ＥＰＣネットワークのためのワイヤレス通信セルを提供する基地局の伝送範囲内にあって、同時に、５ＧＣネットワークのためのワイヤレス通信セルを提供する別の基地局の伝送範囲内にあるということがあり得る。
【０００３】
そして、ユーザ機器は、ワイヤレス通信セルを選択して、このワイヤレス通信セルを提供する基地局に接続し得る。たとえば、ユーザ機器が電源投入されて、複数のそれぞれのワイヤレス通信セルを提供する複数の基地局を検出すると、ユーザ機器は、これらのワイヤレス通信セルから選択して、ワイヤレス通信を実行する。別の例としては、ユーザ機器がワイヤレス通信セルにアクティブにアクセスしていて、ワイヤレス通信セルによって提供されるサービスがパフォーマンス閾値の基準に反する場合、この基準を満たすサービスを提供する別のワイヤレス通信セルを選択することをユーザ機器に強制することが挙げられる。
【０００４】
しかし、ユーザ機器がワイヤレス通信セルを選択することは、受信信号強度インジケータ（ＲＳＳＩ）に頼ることが多い。ＲＳＳＩに頼るプロセスは、十分な帯域幅を有するワイヤレス通信の継続性を維持しない可能性があり、ユーザ機器とワイヤレス通信セルを提供する基地局とによって共有されるワイヤレスネットワークスタックのレイヤ間のミスマッチにつながる可能性もある。
【発明の概要】
【課題を解決するための手段】
【０００５】
概要
本文献は、ワイヤレス通信セルにアクセスするユーザ機器に向けられる方法およびシステムを開示する。これらの方法およびシステムは、ユーザ機器が、ワイヤレス通信セルを提供する基地局からシステム情報ブロック（ＳＩＢ）を受信することを含む。ＳＩＢの入力における識別子の存在（または欠如）は、このワイヤレス通信セルに関連付けられた基盤となるコアネットワークのタイプをユーザ機器に対して示す。
【０００６】
識別子の有無を判断することを通じて、ユーザ機器は、所望の基盤となるコアネットワークを提供するワイヤレス通信セルにアクセスしてもよい。所望の基盤となるコアネットワークを提供するワイヤレス通信セルにアクセスすることにより、複数の利益が生じ、複数の利益は、（ｉ）ワイヤレス通信が十分な帯域幅を維持することを保証することと、（ｉｉ）（ユーザ機器とワイヤレス通信セルを提供する基地局とによって共有される）ワイヤレスネットワークスタックのレイヤ間のコンテンションを生じさせ得るこれらのレイヤ間のミスマッチを回避することとを含む。
【０００７】
いくつかの局面は、ユーザ機器によって実行される方法を記載している。上記方法は、上記ユーザ機器が、第１のワイヤレス通信セルを選択するステップを含む。上記第１のワイヤレス通信セルを提供する第１の基地局から第１のシステム情報ブロック（ＳＩＢ）を受信した後、上記ユーザ機器は、上記第１のＳＩＢの入力に識別子が存在しないことを判断する。上記第１のＳＩＢの上記入力に上記識別子が存在しないと判断したことに応答して、上記ユーザ機器は、第２のワイヤレス通信セルを選択し、上記第２のワイヤレス通信セルを提供する第２の基地局から第２のＳＩＢを受信する。
【０００８】
他の局面は、ユーザ機器によって実行される別の方法を記載している。上記他の方法は、上記ユーザ機器が、第１のワイヤレス通信セルを選択するステップと、上記第１のワイヤレス通信セルを提供する第１の基地局から第１のシステム情報ブロック（ＳＩＢ）を受信するステップとを含む。上記ユーザ機器は、上記第１のＳＩＢの入力に識別子が存在することを判断する。上記第１のＳＩＢの上記入力に上記識別子が存在すると判断したことに応答して、上記ユーザ機器は、上記第１のワイヤレス通信セルへのアクセスを禁止する。
【０００９】
さらに他の局面は、ユーザ機器を記載している。上記ユーザ機器は、プロセッサと、セルアクセスマネージャアプリケーションを有するコンピュータ読取可能記憶媒体とを含む。上記セルアクセスマネージャアプリケーションは、命令を含み、上記命令は、上記プロセッサによって実行されると、上記ユーザ機器に、第１のワイヤレス通信セルを選択するように指示し、上記第１のワイヤレス通信セルを提供する第１の基地局から第１のシステム情報ブロック（ＳＩＢ）を受信するように指示する。上記命令の実行は、さらに、上記ユーザ機器に、上記第１のＳＩＢの入力に識別子が存在しないことを判断するように指示し、それに応答して、第２のワイヤレス通信セルを選択するように指示する。次いで、上記命令の実行は、上記ユーザ機器に、上記第２のワイヤレス通信セルを提供する第２の基地局から第２のＳＩＢを受信するように指示する。
【００１０】
１つ以上の実現例の詳細について、添付の図面および以下の説明において説明する。他の特徴および利点は、説明および図面ならびに特許請求の範囲から明らかであろう。この概要は、詳細な説明および図面においてさらに説明されている主題を紹介するために提供されている。したがって、この概要は、不可欠な特徴を記載していると考えられるべきではなく、クレームされている主題の範囲を限定する目的で使用されるべきでもない。
【００１１】
ワイヤレス通信セルにアクセスするユーザ機器の１つ以上の局面の詳細について以下で説明する。説明および図面中のさまざまな場合における同一の参照番号の使用は、同様の要素を示す。
【図面の簡単な説明】
【００１２】
【図１】ワイヤレス通信セルにアクセスするユーザ機器の１つ以上の局面に係る動作環境の一例を示す図である。
【図２】ワイヤレス通信セルにアクセスするユーザ機器の１つ以上の局面に係るデバイス図の一例を示す図である。
【図３】ワイヤレス通信セルにアクセスするユーザ機器の１つ以上の局面に係るシナリオの詳細の一例を示す図である。
【図４】ワイヤレス通信セルにアクセスするユーザ機器のさまざまな局面が実現されるワイヤレスネットワークスタックのレイヤの一例を示す図である。
【図５】ワイヤレス通信セルにアクセスするユーザ機器に向けられる１つ以上の局面に係る、ユーザ機器によって実行される方法の一例を示す図である。
【図６】ワイヤレス通信セルにアクセスするユーザ機器に向けられる１つ以上の局面に係る、ユーザ機器によって実行される方法の別の例を示す図である。
【図７】ワイヤレス通信セルにアクセスするユーザ機器のさまざまな局面に関連付けられた信号および制御トランザクションの一例を示す図である。
【図８】ワイヤレス通信セルにアクセスするユーザ機器のさまざまな局面に関連付けられた信号および制御トランザクションの他の例を示す図である。
【発明を実施するための形態】
【００１３】
詳細な説明
動作環境
図１は、ＵＥ１１１，ＵＥ１１２およびＵＥ１１３として示されている複数のユーザ機器１１０（ＵＥ１１０）を含む環境１００の一例を示す。各ＵＥ１１０は、ワイヤレスリンク１３１および１３２として示されているワイヤレス通信のための１つ以上のリンク（ワイヤレスリンク１３０）を介して１つ以上の基地局１２０（基地局１２１，１２２，１２３および１２４として示されている）と通信することができる。ワイヤレスリンク１３０，１３１および１３２などのワイヤレスリンクは、本明細書では、無線周波数伝送を含む場合には「無線リンク」と称されることもあり、制御通信またはデータ通信またはこれら両方を含む。この例では、ＵＥ１１０はスマートフォンである。ＵＥ１１０は、スマートフォンとして示されているが、移動体通信デバイス、モデム、セルラーフォン、ゲーミングデバイス、ナビゲーションデバイス、メディアデバイス、ラップトップコンピュータ、デスクトップコンピュータ、タブレットコンピュータ、スマートアプライアンス、車両ベースの通信システムなどの任意の好適なコンピューティングまたは電子デバイスであってもよい。基地局１２０（たとえば、進化型ユニバーサル地上無線アクセスネットワークノードＢ、Ｅ−ＵＴＲＡＮノードＢ、進化型ノードＢ、ｅＮｏｄｅＢ、ｅＮＢ、次世代ノードＢ、ｇＮｏｄｅＢ、ｇＮＢなど）は、マクロセル、マイクロセル、スマートセル、ピコセルなど、またはそれらの任意の組み合わせで実現されてもよい。
【００１４】
基地局１２０は、ワイヤレスリンク１３１および１３２を介してＵＥ１１０と通信し、ワイヤレスリンク１３１および１３２は、任意の好適なタイプのワイヤレスリンクであってもよい。ワイヤレスリンク１３１および１３２は、基地局１２０からＵＥ１１０に通信されるデータおよび制御情報のダウンリンク、ＵＥ１１０から基地局１２０に通信される他のデータおよび制御情報のアップリンク、またはそれら両方を含み得る。ワイヤレスリンク１３０は、第三世代パートナーシッププロジェクトロングタームエボリューション（３ＧＰＰ  ＬＴＥ）、第五世代新無線（５Ｇ  ＮＲ）などの任意の好適な通信プロトコルもしくは規格、または通信プロトコルもしくは規格の組み合わせを使用して実現される１つ以上のワイヤレスリンクまたはベアラを含んでもよい。複数のワイヤレスリンク１３０は、キャリアアグリゲーションに集約されて、ＵＥ１１０に対してより高いデータレートを提供してもよい。複数の基地局１２０からの複数のワイヤレスリンク１３０は、ＵＥ１１０との協調マルチポイント（ＣｏＭＰ）通信用に構成されてもよい。
【００１５】
基地局１２０は、ひとまとめにして、無線アクセスネットワーク１４０（ＲＡＮ、進化型ユニバーサル地上無線アクセスネットワーク、Ｅ−ＵＴＲＡＮ、５Ｇ  ＮＲ  ＲＡＮまたはＮＲ  ＲＡＮ）である。ＲＡＮ１４０は、ＮＲ  ＲＡＮ１４１およびＥ−ＵＴＲＡＮ１４２として示されている。ＮＲ  ＲＡＮ１４１における基地局１２１および１２３は、第五世代コア１５０（５ＧＣ１５０）ネットワークに接続される。Ｅ−ＵＴＲＡＮ１４２における基地局１２２および１２４は、進化型パケットコア１６０（ＥＰＣ１６０）に接続される。任意にまたは加えて、基地局１２２は、５ＧＣ１５０ネットワークにもＥＰＣ１６０ネットワークにも接続してもよい。
【００１６】
基地局１２１および１２３は、それぞれインターフェイス１０２およびインターフェイス１０４で５ＧＣ１５０に接続する。第１のインターフェイス１０２および第２のインターフェイス１０４の各々は、コントロールプレーンシグナリングのためのＮＧ２インターフェイスと、ユーザプレーンデータ通信のためのＮＧ３インターフェイスとを含む。基地局１２２および１２４は、それぞれ１０６および１０８で、コントロールプレーンシグナリングおよびユーザプレーンデータ通信のためのＳ１インターフェイスを介してＥＰＣ１６０に接続する。任意にまたは加えて、基地局１２２が５ＧＣ１５０ネットワークおよびＥＰＣ１６０ネットワークに接続する場合、基地局１２２は、１８０において、コントロールプレーンシグナリングのためのＮＧ２インターフェイスおよびユーザプレーンデータ通信のためのＮＧ３インターフェイスを介して５ＧＣ１５０に接続する。
【００１７】
コアネットワークへの接続に加えて、基地局１２０は互いに通信してもよい。基地局１２１および１２３は、１１２におけるＸｎインターフェイスを介して通信する。基地局１２２および１２４は、１１４におけるＸ２インターフェイスを介して通信する。
【００１８】
５ＧＣ１５０は、５Ｇ  ＮＲネットワークにおいて複数のＵＥ１１０の登録および認証、認可、モビリティ管理などのコントロールプレーン機能を提供するアクセスおよびモビリティ管理機能１５２（ＡＭＦ１５２）を含む。ＥＰＣ１６０は、Ｅ−ＵＴＲＡネットワークにおいて複数のＵＥ１１０の登録および認証、認可、モビリティ管理などのコントロールプレーン機能を提供するモビリティ管理エンティティ１６２（ＭＭＥ１６２）を含む。ＡＭＦ１５２およびＭＭＥ１６２は、ＲＡＮ１４０における基地局１２０と通信し、基地局１２０を介して複数のＵＥ１１０とも通信する。
【００１９】
動作環境１００内において、基地局１２１は、ＮＲ  ＲＡＮ１４１に関連付けられたワイヤレス通信セルを提供してもよく、基地局１２３は、ＮＲ  ＲＡＮ１４１に関連付けられた別のセルを提供してもよく、ＮＲ  ＲＡＮ１４１の各セルは、規定の地理的領域をカバーする。さらに、基地局１２１および基地局１２３は、同一タイプのコアネットワーク（たとえば、５ＧＣ１５０）に接続される。
【００２０】
また、動作環境１００内において、基地局１２２は、Ｅ−ＵＴＲＡＮ１４２に関連付けられたワイヤレス通信セルを提供してもよく、基地局１２４は、Ｅ−ＵＴＲＡＮ１４２に関連付けられた別のセルを提供してもよく、Ｅ−ＵＴＲＡＮ１４２の各セルは、規定の地理的領域をカバーする。さらに、基地局１２２および基地局１２４は、別の同一タイプのコアネットワーク（たとえば、ＥＰＣ１６０）に接続する。
【００２１】
いくつかの局面では、３ＧＰＰ  ＴＳ  ３６．３３１  Ｖ１５．０．１（２０１８−０１）セクション５．２．２．７におけるワイヤレス通信プロトコルによれば、無線アクセスネットワーク（たとえば、ＮＲ  ＲＡＮ１４１またはＥ−ＵＴＲＡＮ１４２）は、地上波公共移動通信ネットワーク（ＰＬＭＮ）識別子として知られる識別子を使用して、ＵＥ１１０に対してそれら自体を識別してもよい。それぞれの場合において、基地局の各々（たとえば、各基地局１２１，１２２，１２３または１２４）は、基地局の各々によってブロードキャストされるシステム情報ブロック（ＳＩＢ）内の入力を介して、それぞれの関連付けられたＰＬＭＮ識別子をＵＥ１１０に提供してもよい。場合によっては、ＳＩＢは、システム情報ブロックタイプ１（ＳＩＢ１）であってもよい。
【００２２】
一例として、進化したワイヤレス通信プロトコルによれば、ＰＬＭＮ識別子は、第五世代新無線（５Ｇ  ＮＲ）ワイヤレス通信プロトコル（たとえば、cellAccessRelatedInfoList-5GC）に関連付けられたＩｎｆｏＬｉｓｔ入力に対応し、ネットワークが第五世代コア（５ＧＣ）ネットワークであることを示す入力に含まれてもよい。別の例として、進化したワイヤレス通信プロトコルによれば、ＰＬＭＮ識別子は、第三世代パートナーシッププロジェクトロングタームエボリューション（３ＧＰＰ  ＬＴＥ）ワイヤレス通信プロトコル（たとえば、cellAccessRelatedInfoList）に関連付けられたＩｎｆｏＬｉｓｔ入力であって、コアネットワークがＥＰＣネットワークであることを示す入力に含まれてもよい。さらに別の例として、進化したワイヤレス通信プロトコルによれば、ＰＬＭＮ識別子は、第六世代（６Ｇ）ワイヤレス通信プロトコル（たとえば、cellAccessRelatedInfoList-6G）に関連付けられたＩｎｆｏＬｉｓｔ入力であって、ネットワークが第六世代コア（６ＧＣ）ネットワークであることを示す入力に含まれてもよい。
【００２３】
また、ＰＬＭＮ識別子は、ＰＬＭＮに関連付けられたコアネットワークのタイプが、ＩｎｆｏＬｉｓｔ入力に関連付けられたワイヤレス通信プロトコルと一致しないことを示すために使用されてもよい。第１の例として、ＩｎｆｏＬｉｓｔ入力は、３ＧＰＰワイヤレス通信プロトコルに関連付けられて、ネットワークが５ＧＣネットワークであることを示してもよい。第２の例として、ＩｎｆｏＬｉｓｔ入力は、５Ｇ  ＮＲワイヤレス通信プロトコルに関連付けられて、コアネットワークが６ＧＣネットワークであることを示してもよい。
【００２４】
デバイスの例
図２は、複数のＵＥ１１０および基地局１２０のデバイス図２００の一例を示す。分かりやすくするために、複数のＵＥ１１０および基地局１２０は、図２から省略されている追加の機能およびインターフェイスを含んでもよい。ＵＥ１１０は、アンテナ２０２と、無線周波数フロントエンド２０４（ＲＦフロントエンド２０４）と、ＬＴＥトランシーバ２０６と、ＮＲ  ＲＡＮ１４１および／またはＥ−ＵＴＲＡＮ１４２における基地局１２０と通信するための５Ｇ  ＮＲトランシーバ２０８とを含む。ＵＥ１１０のＲＦフロントエンド２０４は、さまざまなタイプのワイヤレス通信を容易にするために、ＬＴＥトランシーバ２０６および５Ｇ  ＮＲトランシーバ２０８をアンテナ２０２に結合または接続することができる。ＵＥ１１０のアンテナ２０２は、互いに類似しているようにまたは互いに異なっているように構成された複数のアンテナのアレイを含んでもよい。アンテナ２０２およびＲＦフロントエンド２０４は、３ＧＰＰ  ＬＴＥおよび５Ｇ  ＮＲ通信規格によって規定されて、ＬＴＥトランシーバ２０６および／または５Ｇ  ＮＲトランシーバ２０８によって実現される１つ以上の周波数帯域にチューニングされ得る、および／または、チューニング可能であり得る。さらに、アンテナ２０２、ＲＦフロントエンド２０４、ＬＴＥトランシーバ２０６および／または５Ｇ  ＮＲトランシーバ２０８は、基地局１２０との通信の送受信のためにビームフォーミングをサポートするように構成されてもよい。限定ではなく例示として、アンテナ２０２およびＲＦフロントエンド２０４は、３ＧＰＰ  ＬＴＥおよび５Ｇ  ＮＲ通信規格によって規定されるサブギガヘルツ帯域、サブ６ＧＨＺ帯域および／または６ＧＨｚを超える帯域で動作するように実現可能である。
【００２５】
ＵＥ１１０は、プロセッサ２１０およびコンピュータ読取可能記憶媒体２１２（ＣＲＭ２１２）も含む。プロセッサ２１０は、シリコン、ポリシリコン、ｈｉｇｈ−Ｋ誘電体、銅などのさまざまな材料で構成された単一のコアプロセッサまたは複数のコアプロセッサであってもよい。本明細書に記載されているＣＲＭ２１２は、伝搬信号を除外する。ＣＲＭ２１２は、ランダムアクセスメモリ（ＲＡＭ）、スタティックＲＡＭ（ＳＲＡＭ）、ダイナミックＲＡＭ（ＤＲＡＭ）、不揮発性ＲＡＭ（ＮＶＲＡＭ）、リードオンリメモリ（ＲＯＭ）またはフラッシュメモリなどの任意の好適なメモリまたは記憶装置を含んでもよい。
【００２６】
ＣＲＭ２１２は、セルアクセスマネージャ２１４の形式の実行可能なコードおよび命令も含む。代替的にまたは加えて、セルアクセスマネージャ２１４は、全体または一部が、ＵＥ１１０の他のコンポーネントと一体化されるかまたはそれらから分離されたハードウェアロジックまたは回路として実現されてもよい。少なくともいくつかの局面では、セルアクセスマネージャ２１４のコードを実行するプロセッサ２１０は、１つ以上の動作を実行するようにＵＥ１１０に指示する。このような動作は、第１のワイヤレス通信セルにアクセスするＵＥ１１０に関連付けられ得るワイヤレス通信状況（信号強度の劣化、混乱または干渉）を検出し、それに応答して、第２のワイヤレス通信セルを選択することに決定することを含んでもよい。このような動作は、継続してもよく、第２のワイヤレス通信セルを提供する基地局にアクセス要求を送信し、第２のワイヤレス通信セルを提供する基地局からＳＩＢを受信し、ＳＩＢ内の入力に見られるＰＬＭＮ識別子から、基地局が接続されるコアネットワーク（たとえば、第２のワイヤレス通信セルに関連付けられたコアネットワーク）が、第１のワイヤレス通信セルによってサポートされるものと同一タイプのコアネットワークであるコアネットワークのタイプであると判断することを含んでもよい。
【００２７】
図２に示される基地局１２０のデバイス図は、ワイヤレス通信セルを提供する基地局に対応する。基地局１２０の機能は、複数のネットワークノードまたはデバイスにわたって分散されてもよく、本明細書に記載されている機能を実行するのに好適な任意の態様で分散されてもよい。基地局１２０は、ＵＥ１１０と通信するために、アンテナ２５２、無線周波数フロントエンド２５４（ＲＦフロントエンド２５４）、１つ以上のＬＴＥトランシーバ２５６および／または１つ以上の５Ｇ  ＮＲトランシーバ２５８を含む。基地局１２０のＲＦフロントエンド２５４は、さまざまなタイプのワイヤレス通信を容易にするために、ＬＴＥトランシーバ２５６および５Ｇ  ＮＲトランシーバ２５８をアンテナ２５２に結合または接続することができる。基地局１２０のアンテナ２５２は、互いに類似しているようにまたは互いに異なっているように構成された複数のアンテナのアレイを含んでもよい。アンテナ２５２およびＲＦフロントエンド２５４は、３ＧＰＰ  ＬＴＥおよび５Ｇ  ＮＲ通信規格によって規定されて、ＬＴＥトランシーバ２５６および／または５Ｇ  ＮＲトランシーバ２５８によって実現される１つ以上の周波数帯域にチューニングされ得る、および／または、チューニング可能であり得る。さらに、アンテナ２５２、ＲＦフロントエンド２５４、ＬＴＥトランシーバ２５６および／または５Ｇ  ＮＲトランシーバ２５８は、ＵＥ１１０との通信の送受信のためにＭａｓｓｉｖｅ−ＭＩＭＯなどのビームフォーミングをサポートするように構成されてもよい。
【００２８】
基地局１２０は、プロセッサ２６０およびコンピュータ読取可能記憶媒体２６２（ＣＲＭ２６２）も含む。プロセッサ２６０は、シリコン、ポリシリコン、ｈｉｇｈ−Ｋ誘電体、銅などのさまざまな材料で構成された単一のコアプロセッサまたは複数のコアプロセッサであってもよい。ＣＲＭ２６２は、基地局１２０のデバイスデータの格納に使用可能な、ランダムアクセスメモリ（ＲＡＭ）、スタティックＲＡＭ（ＳＲＡＭ）、ダイナミックＲＡＭ（ＤＲＡＭ）、不揮発性ＲＡＭ（ＮＶＲＡＭ）、リードオンリメモリ（ＲＯＭ）またはフラッシュメモリなどの任意の好適なメモリまたは記憶装置を含んでもよい。
【００２９】
ＣＲＭ２６２は、基地局マネージャ２６４も含む。代替的にまたは加えて、基地局マネージャ２６４は、全体または一部が、基地局１２０の他のコンポーネントと一体化されるかまたはそれらから分離されたハードウェアロジックまたは回路として実現されてもよい。少なくともいくつかの局面では、基地局マネージャ２６４は、ＵＥ１１０との通信およびコアネットワークとの通信のためにＬＴＥトランシーバ２５６および５Ｇ  ＮＲトランシーバ２５８を構成する。いくつかの局面では、基地局マネージャ２６４は、ＰＬＭＮ識別子を含む入力を有するＳＩＢに対応するデータまたは情報も格納してもよい。基地局１２０は、別の基地局１２０との間でユーザプレーンおよびコントロールプレーンデータをやりとりするように基地局マネージャ２６４によって構成される、基地局１２０とＵＥ１１０との通信を管理するためのＸｎおよび／またはＸ２インターフェイスなどの基地局間インターフェイス２６６を含む。基地局１２０は、コアネットワーク機能およびエンティティを有するユーザプレーンおよびコントロールプレーンデータをやりとりするように基地局マネージャ２６４によって構成されるコアネットワークインターフェイス２６８を含む。
【００３０】
図３は、ワイヤレス通信セルにアクセスするユーザ機器の１つ以上の局面に係るシナリオ３００の詳細の一例を示す。ユーザ機器は、図１のＵＥ１１０であって、図１の基地局１２１，１２２または１２３に接続することによってそれぞれのワイヤレス通信セルにアクセスしてもよい。
【００３１】
図３に示されるように、基地局１２１は、ワイヤレス通信セル３０２（たとえば、インターフェイス１０２を使用して５ＧＣネットワーク１５０にアクセスすることができる）を提供し、基地局１２２は、別のワイヤレス通信セル３０４（たとえば、インターフェイス１８０を使用して５ＧＣ１５０にアクセスし、インターフェイス１０６を使用してＥＰＣ１６０にアクセスすることができる）を提供し、基地局１２４は、さらに別のワイヤレス通信セル３０６（インターフェイス１０８を使用してＥＰＣ１６０にアクセスすることができる）を提供する。
【００３２】
ＵＥ１１０は、基地局１２０から受信したＳＩＢに含まれる入力を介してワイヤレス通信セルの基盤となるコアネットワークのタイプを確認してもよい。選択されたワイヤレス通信セルに関連付けられた基盤となるネットワークのタイプがワイヤレス通信ニーズを満たすことを上記の入力がＵＥ１１０に対して示す場合、ＵＥ１１０は、このワイヤレス通信セルを提供するそれぞれの基地局に接続することを進めてもよい。選択されたワイヤレス通信セルに関連付けられた基盤となるネットワークのタイプがワイヤレス通信ニーズを満たさないことを上記の入力がＵＥ１１０に対して示す場合、ＵＥ１１０は、このワイヤレス通信セルを禁止して、このワイヤレス通信セルを提供するそれぞれの基地局に接続しなくてもよい。ＳＩＢ内のこのような入力は、地上波公共移動通信ネットワーク（ＰＬＭＮ）識別子をコアネットワークの基盤となるタイプに関連付けてもよい。
【００３３】
図４は、ワイヤレス通信セルにアクセスするユーザ機器のさまざまな局面が実現されるワイヤレスネットワークスタック４００のレイヤの一例を示す図である。一般に、ＵＥ１１０および基地局１２０の各々は、ワイヤレスネットワークスタック４００の対応するピアレイヤを参照してもよい。ワイヤレスネットワークスタック４００の対応するレイヤが同一タイプのコアネットワーク（たとえば、５ＧＣネットワークまたはＥＰＣネットワーク）と同期しない場合には、コンテンションが存在し得て、ＵＥ１１０と基地局１２０との間のワイヤレス通信に影響を及ぼす。さらに、ＵＥ１１０に関しては、ワイヤレスネットワークスタック４００の１つ以上のレイヤ（たとえば、ピアレイヤ）は、セルアクセスマネージャ２１４の一部として含まれてもよい。このような場合、セルアクセスマネージャ２１４の一部として含まれる１つ以上のレイヤは、ＵＥ１１０によって実行されるワイヤレスセル選択技術のためのコードを含んでもよい。
【００３４】
ワイヤレスネットワークスタック４００は、ユーザプレーン４０２と、コントロールプレーン４０４とを含む。ユーザプレーン４０２およびコントロールプレーン４０４の上部レイヤは、ワイヤレスネットワークスタック４００における共通の下部レイヤを共有する。ＵＥ１１０または基地局１２０などのワイヤレスデバイスは、各レイヤを、このレイヤのために規定されるプロトコルを使用して別のデバイスと通信するためのエンティティとして実現する。たとえば、ＵＥ１１０は、パケットデータコンバージェンスプロトコル（ＰＤＣＰ）エンティティを使用して、ＰＤＣＰを用いて基地局１２０におけるピアＰＤＣＰエンティティと通信する。
【００３５】
共有される下部レイヤは、物理レイヤ４０６（ＰＨＹレイヤ４０６）と、メディアアクセス制御レイヤ４０８（ＭＡＣレイヤ４０８）と、無線リンク制御レイヤ４１０（ＲＬＣレイヤ４１０）と、パケットデータコンバージェンスプロトコルレイヤ４１２（ＰＤＣＰレイヤ４１２）とを含む。物理レイヤ４０６は、互いに通信するデバイスのハードウェア仕様を提供する。したがって、物理レイヤ４０６は、デバイスがどのように互いに接続するかを規定したり、通信リソースがデバイス間でどのように共有されるかを管理することを支援したりする。
【００３６】
ＭＡＣレイヤ４０８は、データがデバイス間でどのように転送されるかを指定する。一般に、ＭＡＣレイヤ４０８は、伝送されているデータパケットを伝送プロトコルの一部としてビットに符号化および復号化する方法を提供する。
【００３７】
ＲＬＣレイヤ４１０は、ワイヤレスネットワークスタック４００における上位レイヤへのデータ転送サービスを提供する。一般に、ＲＬＣレイヤ４１０は、誤り訂正、パケットセグメンテーションおよび再構築、ならびに、確認モード、非確認モードまたは透過モードなどのさまざまなモードでのデータ転送の管理を提供する。
【００３８】
ＰＤＣＰレイヤ４１２は、ワイヤレスネットワークスタック４００における上位レイヤへのデータ転送サービスを提供する。一般に、ＰＤＣＰレイヤ４１２は、ユーザプレーン４０２およびコントロールプレーン４０４データの転送、ヘッダ圧縮、暗号化および整合性保護を提供する。
【００３９】
ＰＤＣＰレイヤ４１２の上方で、ワイヤレスネットワークスタックは、ユーザプレーンスタック４０２とコントロールプレーンスタック４０４とに分割される。ユーザプレーン４０２レイヤは、任意のサービスデータアダプテーションプロトコルレイヤ４１４（ＳＤＡＰレイヤ４１４）と、インターネットプロトコルレイヤ４１６（ＩＰレイヤ４１６）と、伝送制御プロトコル／ユーザデータグラムプロトコルレイヤ４１８（ＴＣＰ／ＵＤＰレイヤ４１８）と、データを転送するアプリケーション４２０とを含む。任意のＳＤＡＰレイヤ４１４は、５Ｇ  ＮＲネットワークに存在しており、各データ無線ベアラについてクオリティ・オブ・サービス（ＱｏＳ）フローをマッピングし、各パケットデータセッションについてアップリンクおよびダウンリンクデータパケットの中のＱｏＳフローアイデンティティに印を付ける。ＩＰレイヤ４１６は、アプリケーション４２０からのデータが宛先ノードにどのように転送されるかを指定する。ＴＣＰ／ＵＤＰレイヤ４１８は、アプリケーション４２０によるデータ転送のためのＴＣＰまたはＵＤＰを使用して、宛先ノードに転送される予定のデータパケットが宛先ノードに到着したことを確認するために使用される。いくつかの実現例では、ユーザプレーン４０２は、ウェブブラウジングコンテンツ、映像コンテンツ、画像コンテンツ、音声コンテンツ、ソーシャルメディアコンテンツなどを含むＩＰパケットなどのアプリケーションデータを移送するためのデータ移送サービスを提供するデータサービスレイヤも含んでもよい。
【００４０】
コントロールプレーン４０４は、無線リソース制御レイヤ４２２（ＲＲＣレイヤ４２２）と、非アクセス層レイヤ４２４（ＮＡＳレイヤ４２４）とを含む。ＲＲＣレイヤ４２２は、接続および無線ベアラを構築および解放したり、システム情報をブロードキャストしたり、電力制御を実行したりする。ＲＲＣレイヤ４２２は、３ＧＰＰ  ＬＴＥアクセスをサポートするが、非３ＧＰＰ  ＬＴＥアクセス（たとえば、Ｗｉ−Ｆｉ）をサポートしない。ＮＡＳレイヤ４２４は、３ＧＰＰ  ＬＴＥアクセスおよび非３ＧＰＰ  ＬＴＥアクセスをサポートする。
【００４１】
ＵＥ１１０では、ワイヤレスネットワークスタック４００のユーザプレーン４０２およびコントロールプレーン４０４の両方のプレーンにおける各レイヤは、基地局１２０における対応するピアレイヤもしくはエンティティ、コアネットワークエンティティもしくは機能、および／または、リモートサービスと対話して、ＮＲ  ＲＡＮ１４１またはＥ−ＵＴＲＡＮ１４２でのＵＥ１１０のユーザアプリケーションおよび制御動作をサポートする。
【００４２】
方法の例
図５および図６を参照して、方法５００および６００の例について説明する。方法ブロックが記載されている順序は、限定として解釈されることを意図しておらず、方法または代替方法を実現するために、記載されている方法ブロックをいくらでも任意の順序で組み合わせたり、省略したりすることができる。一般に、本明細書に記載されている構成要素、モジュール、方法および動作はいずれも、ソフトウェア、ファームウェア、ハードウェア（たとえば、固定論理回路）、手動処理またはそれらの任意の組み合わせを使用して実現可能である。これらの方法の例のいくつかの動作は、コンピュータ処理システムにローカルおよび／またはリモートであるコンピュータ読取可能記憶メモリに格納された実行可能な命令の一般的文脈の中で説明されてもよく、実現例は、ソフトウェアアプリケーション、プログラム、機能などを含み得る。代替的にまたは加えて、本明細書に記載されている機能はいずれも、少なくとも一部が、１つ以上のハードウェアロジックコンポーネントによって実行可能であり、１つ以上のハードウェアロジックコンポーネントは、入力プログラム可能ゲートアレイ（ＦＰＧＡ）、特定用途向け集積回路（ＡＳＩＣ）、特定用途向け標準品（ＡＳＳＰ）、システムオンチップシステム（ＳｏＣ）、複合プログラマブルロジックデバイス（ＣＰＬＤ）などであるが、それらに限定されるものではない。
【００４３】
図５は、ワイヤレス通信セルにアクセスするユーザ機器に向けられた１つ以上の局面に係る、ユーザ機器によって実行される方法５００の一例を示す図である。ユーザ機器は、セルアクセスマネージャ２１４のコードおよび命令を実行するプロセッサ２１０を介して方法を実行する図１、図２および図３のＵＥ１１０であってもよい。
【００４４】
動作５０２において、ユーザ機器は、第１のワイヤレス通信セル（たとえば、ワイヤレス通信セル３０６）を選択する。ユーザ機器は、ユーザ機器の電源投入中に第１のワイヤレス通信セルの選択をトリガしてもよく、第１のワイヤレス通信セルは、電源投入中にユーザ機器が検出するそれぞれの基地局（たとえば、基地局１２１，１２３および１２２）によって提供される複数のワイヤレス通信セル（たとえば、ワイヤレス通信セル３０２，３０４および３０６）のうちの１つであってもよい。
【００４５】
動作５０４において、ユーザ機器は、第１のワイヤレス通信セルを提供する第１の基地局から第１のＳＩＢを受信する。第１の基地局は、たとえば物理ブロードキャストチャネル（ＰＢＣＨ）を使用して第１のＳＩＢをアクティブにブロードキャストしてもよい。動作５０６において、ユーザ機器は、第１のＳＩＢの入力に識別子（たとえば、第１の基地局に関連付けられたＰＬＭＮ識別子）が存在しないことを判断する。場合によっては、この入力は、第１のワイヤレス通信セルに接続されたコアネットワークのタイプが第五世代コア（５ＧＣ）ネットワークであることを示すＩｎｆｏＬｉｓｔに対応してもよく、他の場合には、この入力は、第１のワイヤレス通信セルに接続されたコアネットワークのタイプがＥＰＣネットワークであることを示す別のＩｎｆｏＬｉｓｔ入力に対応してもよい。識別子が存在しないことの判断は、ＮＡＳレイヤ４２４およびＲＲＣレイヤ４２２に対応するセルアクセスマネージャ２１４に含まれるレイヤ内に含まれるコードをプロセッサ２１０が実行することを含んでもよい。さらに、動作５０６において、ＳＩＢは、システム情報ブロックタイプ１（ＳＩＢ１）であってもよい。
【００４６】
動作５０８において、第１のＳＩＢの入力に識別子が存在しないと判断したことに応答して、ユーザ機器は、第２のワイヤレス通信セル（たとえば、ワイヤレス通信セル３０２）を選択して、第２のワイヤレス通信セルを提供する第２の基地局（たとえば、ワイヤレス通信セル３０２を提供する基地局１２１）から第２のＳＩＢを受信する。
【００４７】
方法５００の一例は、さらなる動作を含むように拡張してもよく、さらなる動作は、（ｉ）第２のシステム情報ブロックの入力に第２のＰＬＭＮ識別子が存在することを確認する動作と、（ｉｉ）アタッチ要求メッセージを第２の基地局に送信して、ユーザ機器と第２の基地局との間の接続を開始する動作とを含む。一般に、ユーザ機器は、所望の基盤となるコアネットワークを有するワイヤレス通信セルが選択されたことを確認するまで、（第１および第２のワイヤレス通信セルを超えて）さらなるワイヤレス通信セルを「検索」し続けてもよい。
【００４８】
方法５００の一例は、基盤となるコアネットワークのタイプのさまざまな組み合わせを有する１つ以上のワイヤレス通信セルに適用されてもよい。第１の非限定的な例として、および方法５００の一例の一部として、第１のワイヤレス通信セルは、基盤となる進化型パケットコア（ＥＰＣ）ネットワークを有してもよく、第２のワイヤレス通信セルは、基盤となる第五世代コア（５ＧＣ）ネットワークを有してもよい。第２の非限定的な例として、第１のワイヤレス通信セルまたは第２のワイヤレス通信セルのいずれかが、基盤となる第六世代コア（６ＧＣ）ネットワークを有してもよい。
【００４９】
図６は、ワイヤレス通信セルにアクセスするユーザ機器に向けられる１つ以上の局面に係る、ユーザ機器によって実行される方法６００の一例を示す。ユーザ機器は、セルアクセスマネージャ２１４のコードおよび命令を実行するプロセッサ２００を介して方法を実行する図１、図２および図３のＵＥ１１０であってもよい。
【００５０】
動作６０２において、ユーザ機器は、第１のワイヤレス通信セル（たとえば、ワイヤレス通信セル３０６）を選択する。ユーザ機器は、ユーザ機器の電源投入中に第１のワイヤレス通信セルの選択をトリガしてもよく、第１のワイヤレス通信セルは、電源投入中にユーザ機器が検出するそれぞれの基地局（たとえば、基地局１２１，１２３および１２２）によって提供される複数のワイヤレス通信セル（たとえば、ワイヤレス通信セル３０２，３０４および３０６）のうちの１つであってもよい。
【００５１】
動作６０４において、ユーザ機器は、第１のワイヤレス通信セルを提供する第１の基地局から第１のＳＩＢを受信する。第１の基地局は、たとえば物理ブロードキャストチャネル（ＰＢＣＨ）を使用して第１のＳＩＢをアクティブにブロードキャストしてもよい。動作６０６において、ユーザ機器は、ＳＩＢの入力に識別子（たとえば、第１の基地局に関連付けられたＰＬＭＮ識別子）が存在することを判断する。場合によっては、この入力は、コアネットワークがＥＰＣネットワークであることを示すＩｎｆｏＬｉｓｔ入力に対応してもよい。ＳＩＢの入力に識別子が存在することを判断することは、ＮＡＳレイヤ４２４およびＲＲＣレイヤ４２２に対応するセルアクセスマネージャ２１４に含まれるコードをプロセッサ２１０が実行することを含んでもよい。さらに、動作６０６において、ＳＩＢは、システム情報ブロックタイプ１（ＳＩＢ１）であってもよい。動作６０８において、ＳＩＢの入力に識別子が存在すると判断したことに応答して、ユーザ機器は、第１のワイヤレス通信セルへのアクセスを禁止する。
【００５２】
方法６００の一例は、さらなる動作を含むように拡張してもよく、さらなる動作は、（ｉ）第２のワイヤレス通信セルを選択する動作と、（ｉｉ）第２のワイヤレス通信セルを提供する第２の基地局から第２のＳＩＢを受信する動作とを含む。
【００５３】
方法６００の一例は、基盤となるコアネットワークのタイプのさまざまな組み合わせを有する１つ以上のワイヤレス通信セルに適用されてもよい。第１の非限定的な例として、および方法６００の一例の一部として、第１のワイヤレス通信セルは、進化型パケットコア（ＥＰＣ）ネットワークである基盤となるコアネットワークのタイプを有してもよく、第２のワイヤレス通信セルは、ＥＰＣネットワーク以外の基盤となるコアネットワークのタイプを有してもよい。
【００５４】
方法５００および６００の順列は、ワイヤレス通信セルの「切り替え」に向けられるユーザ機器によって実行される他の動作を向上させ得る。このような向上させた動作は、ユーザ機器が、ワイヤレス通信の効率または効果に影響を及ぼすワイヤレス通信状態を検出して、前のワイヤレス通信セルと同一タイプの基盤となるコアネットワークを有するワイヤレス通信セルを検索することを含んでもよい。さらに、方法５００および６００の動作が記載されている順序は、限定として解釈されることを意図しておらず、記載されている動作をいくらでも、ワイヤレス通信セルにアクセスするユーザ機器の一部として、任意の順序でまたはさらなる判断基準と組み合わせることができる。
【００５５】
シグナリングおよび制御トランザクションの例
図７は、ワイヤレス通信セルにアクセスするユーザ機器のさまざまな局面に関連付けられた信号および制御トランザクションの一例を示す。ワイヤレス通信セルにアクセスするユーザ機器の複数のシナリオが可能であるが、図７は、ユーザ機器１１０が電源投入して図３のワイヤレス通信セル３０２などのワイヤレス通信セルを選択する文脈において示されている。シグナリングおよび制御トランザクションは、ＵＥ１１０のＲＲＣレイヤ４２２とＮＡＳレイヤ４２４との間の情報のやりとりを含む。
【００５６】
７０５において、ＮＡＳレイヤ４２４（たとえば、ＮＡＳレイヤ４２４を含むセルアクセスマネージャ２１４のコードを実行するプロセッサ１２０）は、基地局１２１によって提供されるワイヤレス通信セル３０２を選択する。７１０において、ＮＡＳレイヤ４２４は、選択トリガ情報をＲＲＣレイヤ４２２に送信する。７１５において、ＲＲＣレイヤ４２２は、基地局１２１からブロードキャストされるＳＩＢを受信する。
【００５７】
７２０において、ＲＲＣレイヤ４２２は、それがＳＩＢから導き出す入力（たとえば、ＩｎｆｏＬｉｓｔ入力）をＮＡＳレイヤ４２４に送信する。７２５において、ＮＡＳレイヤ４２４は、入力の内容に基づいて、ワイヤレス通信セル３０２の選択を確認する。７２５におけるワイヤレス通信セル３０２の選択の確認は、入力の中のデータ（たとえば、ワイヤレス通信セル３０２に関連付けられたＰＬＭＮ識別子の有無）と、ＵＥ１１０の一部である加入者識別モジュール（ＳＩＭ）またはコンピュータ読取可能記憶媒体（たとえば、ＣＲＭ２１２）内に格納された他のデータ（たとえば、１つ以上のＰＬＭＮ識別子のリスト）とを比較することを含んでもよい。７３０において、ＮＡＳレイヤ４２４は、アタッチトリガ情報をＲＲＣレイヤ４２２に送信する。次いで、７３５において、ＲＲＣレイヤ４２２は、アタッチ要求メッセージを基地局１２１に送信するようにＵＥ１１０に指示する。
【００５８】
図８は、ワイヤレス通信セルにアクセスするユーザ機器のさまざまな局面に関連付けられた信号および制御トランザクションの一例を示す。ワイヤレス通信セルにアクセスするユーザ機器の複数のシナリオが可能であるが、図８は、ＵＥ１１０が図３のワイヤレス通信セル３０６と３０４との間の選択を行っているワイヤレス通信セル選択プロセスをユーザ機器１１０が実行する文脈において示されている。シグナリングおよび制御トランザクションは、ユーザ機器１１０のＲＲＣレイヤ４２２とＮＡＳレイヤ４２４との間の情報のやりとりを含む。
【００５９】
８０５において、ＮＡＳレイヤ４２４（たとえば、ＮＡＳレイヤ４２４を含むセルアクセスマネージャ２１４のコードを実行するプロセッサ１２０）は、基地局１２４によって提供される第１のワイヤレス通信セル３０６を選択する。８１０において、ＮＡＳレイヤ４２４は、選択トリガ情報をＲＲＣレイヤ４２２に送信する。８１５において、ＲＲＣレイヤ４２２は、基地局１２４からブロードキャストされる第１のＳＩＢを受信する。
【００６０】
８２０において、ＲＲＣレイヤ４２２は、それが第１のＳＩＢから導き出す第１の入力（たとえば、ＩｎｆｏＬｉｓｔ入力）をＮＡＳレイヤ４２４に送信する。８２５において、ＮＡＳレイヤ４２４は、第１の入力の内容（ワイヤレス通信セル３０６がＥＰＣ１６０にはアクセスできるが、５ＧＣ１５０にはアクセスできないことを示す）に基づいて、第２のワイヤレス通信セル、たとえば基地局１２２によって提供されるワイヤレス通信セル３０４を選択することに決定する。８２５における第２のワイヤレス通信セル３０４を選択することに決定することは、第１の入力のデータ（たとえば、第１のワイヤレス通信セル３０６に関連付けられたＰＬＭＮ識別子の有無）と、ＵＥ１１０の一部である加入者識別モジュール（ＳＩＭ）またはコンピュータ読取可能記憶媒体（たとえば、ＣＲＭ２１２）内に格納された他のデータ（たとえば、１つ以上のＰＬＭＮ識別子のリスト）とを比較することを含んでもよい。
【００６１】
８３０において、ＮＡＳレイヤ４２４は、再選択トリガ情報をＲＲＣレイヤ４２２に送信する。８３５において、ＲＲＣレイヤ４２２は、基地局１２２からブロードキャストされる第２のＳＩＢを受信する。
【００６２】
８４０において、ＲＲＣレイヤ４２２は、それが第２のＳＩＢから導き出す第２の入力（たとえば、別のＩｎｆｏＬｉｓｔ入力）をＮＡＳレイヤ４２４に送信する。８４５において、ＮＡＳレイヤ４２４は、第２のワイヤレス通信セル３０４の選択を確認する。８４５における第２のワイヤレス通信セル３０４の選択の確認は、第２の入力のデータ（たとえば、第２のワイヤレス通信セル３０４に関連付けられたＰＬＭＮ識別子の有無）と、ＵＥ１１０の一部である加入者識別モジュール（ＳＩＭ）またはコンピュータ読取可能記憶媒体（たとえば、ＣＲＭ２１２）内に格納された他のデータ（たとえば、１つ以上のＰＬＭＮ識別子のリスト）とを比較することを含んでもよい。８５０において、ＮＡＳレイヤ４２４は、アタッチトリガ情報をＲＲＣレイヤ４２２に送信する。次いで、８５５において、ＲＲＣレイヤ４２２は、アタッチ要求メッセージを基地局１２２に送信するようにＵＥ１１０に指示する。
【００６３】
セルアクセス関連情報を使用したユーザ機器挙動の局面について、特徴および／または方法に特有の言い回しで説明してきたが、添付の特許請求の範囲の主題は、必ずしも記載されている特有の特徴または方法に限定されるものではない。むしろ、これらの特有の特徴および方法は、セルアクセス関連情報を使用したユーザ機器挙動の例示的な実現例として開示されており、他の等価の特徴および方法も添付の特許請求の範囲の範囲内であるように意図されている。さらに、さまざまな異なる局面が記載されており、各々の記載されている局面は独立してまたは１つ以上の他の記載されている局面に関連付けて実現可能であるということが理解される。
【００６４】
例
例１
ユーザ機器によって実行される方法であって、
前記ユーザ機器が、第１のワイヤレス通信セルを選択するステップと、
前記第１のワイヤレス通信セルを提供する第１の基地局から第１のシステム情報ブロック（ＳＩＢ）を受信するステップと、
前記第１のＳＩＢの入力に識別子が存在しないことを判断するステップと、
前記第１のＳＩＢの前記入力に前記識別子が存在しないと判断したことに応答して、
第２のワイヤレス通信セルを選択するステップと、
前記第２のワイヤレス通信セルを提供する第２の基地局から第２のＳＩＢを受信するステップとを備える、方法。
【００６５】
例２
前記識別子は、地上波公共移動通信ネットワーク（ＰＬＭＮ）識別子である、例１に記載の方法。
【００６６】
例３
前記入力は、コアネットワークのタイプを示す、例２に記載の方法。
【００６７】
例４
前記入力は、第五世代新無線（５Ｇ  ＮＲ）ワイヤレス通信プロトコルに関連付けられたＩｎｆｏＬｉｓｔ入力に対応し、前記コアネットワークのタイプが第五世代コア（５ＧＣ）ネットワークであることを示す、例３に記載の方法。
【００６８】
例５
前記入力は、第三世代パートナーシッププロジェクトロングタームエボリューション（３ＧＰＰ  ＬＴＥ）ワイヤレス通信プロトコルに関連付けられたＩｎｆｏＬｉｓｔ入力に対応し、前記コアネットワークのタイプが第五世代コア（５ＧＣ）ネットワークであることを示す、例３に記載の方法。
【００６９】
例６
前記入力は、第三世代パートナーシッププロジェクトロングタームエボリューション（３ＧＰＰ  ＬＴＥ）ワイヤレス通信プロトコルに関連付けられたＩｎｆｏＬｉｓｔ入力に対応し、前記コアネットワークのタイプが進化型パケットコア（ＥＰＣ）ネットワークであることを示す、例３に記載の方法。
【００７０】
例７
前記入力は、第六世代ワイヤレス通信プロトコルに関連付けられたＩｎｆｏＬｉｓｔ入力に対応し、前記コアネットワークのタイプが６Ｇコア（６ＧＣ）ネットワークであることを示す、例３に記載の方法。
【００７１】
例８
前記入力は、第五世代新無線（５Ｇ  ＮＲ）ワイヤレス通信プロトコルに関連付けられたＩｎｆｏＬｉｓｔ入力に対応し、前記コアネットワークのタイプが第六世代コア（６ＧＣ）ネットワークであることを示す、例３に記載の方法。
【００７２】
例９
前記第１のワイヤレス通信セルは、３ＧＰＰ  ＬＴＥエアインターフェイスを使用してアクセス可能であり、第五世代コア（５ＧＣ）コアネットワークに接続される、例１に記載の方法。
【００７３】
例１０
前記ＳＩＢは、システム情報ブロックタイプ１（ＳＩＢ１）である、例１に記載の方法。
【００７４】
例１１
ユーザ機器によって実行される方法であって、
前記ユーザ機器が、第１のワイヤレス通信セルを選択するステップと、
前記第１のワイヤレス通信セルを提供する第１の基地局から第１のシステム情報ブロック（ＳＩＢ）を受信するステップと、
前記第１のＳＩＢの入力に識別子が存在することを判断するステップと、
前記第１のＳＩＢの前記入力に前記識別子が存在すると判断したことに応答して、前記第１のワイヤレス通信セルへのアクセスを禁止するステップとを備える、方法。
【００７５】
例１２
前記識別子は、地上波公共移動通信ネットワーク（ＰＬＭＮ）識別子である、例１１に記載の方法。
【００７６】
例１３
前記第１のＳＩＢは、システム情報ブロックタイプ１（ＳＩＢ１）である、例１１に記載の方法。
【００７７】
例１４
前記第１のＳＩＢの前記入力は、前記第１のワイヤレス通信セルによってサポートされ、前記第１の基地局が接続されるコアネットワークのタイプを示す、例１３に記載の方法。
【００７８】
例１５
前記コアネットワークのタイプは、進化型パケットコア（ＥＰＣ）ネットワークまたは第五世代コア（５ＧＣ）ネットワークである、例１４に記載の方法。
【００７９】
例１６
前記コアネットワークのタイプは、第六世代コア（６ＧＣ）ネットワークである、例１４に記載の方法。
【００８０】
例１７
前記ユーザ機器が前記第１のワイヤレス通信セルにアクセスすることを禁止したことに応答して、
第２のワイヤレス通信セルを選択するステップと、
前記第２のワイヤレス通信セルを提供する第２の基地局から第２のＳＩＢを受信するステップとをさらに備える、例１１に記載の方法。
【００８１】
例１８
前記第２の基地局が接続されるコアネットワークのタイプは、進化型パケットコア（ＥＰＣ）ネットワーク以外である、例１７に記載の方法。
【００８２】
例１９
ユーザ機器であって、
プロセッサと、
セルアクセスマネージャアプリケーションを有するコンピュータ読取可能記憶媒体とを備え、前記セルアクセスマネージャアプリケーションは、命令を備え、前記命令は、前記プロセッサによって実行されると、前記ユーザ機器に、
前記ユーザ機器が第１のワイヤレス通信セルを選択するように指示し、
前記第１のワイヤレス通信セルを提供する第１の基地局から第１のシステム情報ブロック（ＳＩＢ）を受信するように指示し、
前記第１のＳＩＢの入力に識別子が存在しないことを判断するように指示し、
前記第１のＳＩＢの前記入力に前記識別子が存在しないと判断したことに応答して、
第２のワイヤレス通信セルを選択するように指示し、
前記第２のワイヤレス通信セルを提供する第２の基地局から第２のＳＩＢを受信するように指示する、ユーザ機器。
【００８３】
例２０
前記命令は、非アクセス層（ＮＡＳ）レイヤおよび無線リソース制御（ＲＲＣ）レイヤに含まれる、例１９に記載のユーザ機器。
【図１】
2021514127.tif 000003
【図２】
2021514127.tif 000004
【図３】
2021514127.tif 000005
【図４】
2021514127.tif 000006
【図５】
2021514127.tif 000007
【図６】
2021514127.tif 000008
【図７】
2021514127.tif 000009
【図８】
2021514127.tif 000010
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
ユーザ機器によって実行される方法であって、
第１のワイヤレス通信セルを選択するステップと、
前記第１のワイヤレス通信セルを提供する第１の基地局から第１のシステム情報ブロック（ＳＩＢ）を受信するステップとを備え、前記第１のＳＩＢは、第１の識別子を含み、前記方法はさらに、
前記第１の識別子の第１の要素と前記ユーザ機器内に格納された識別子のリストのそれぞれの要素とを比較するステップを備え、前記第１の識別子の前記第１の要素は、前記第１のワイヤレス通信セルに接続されたコアネットワークのタイプに関連付けられ、前記リストされた識別子の前記それぞれの要素は、コアネットワークの選択されたタイプに関連付けられ、前記方法はさらに、
前記第１の識別子の前記第１の要素が前記リストされた識別子の前記それぞれの要素のうちの少なくとも１つに一致しないことを判断するステップと、
前記第１の識別子の前記第１の要素が前記リストされた識別子の前記それぞれの要素のうちの少なくとも１つに一致しないと判断したことに応答して、
第２のワイヤレス通信セルを選択するステップと、
前記第２のワイヤレス通信セルを提供する第２の基地局から第２のＳＩＢを受信するステップとを備え、前記第２のＳＩＢは、第２の識別子を含む、方法。
【請求項２】
前記第１の識別子および前記識別子のリストの各識別子は、地上波公共移動通信ネットワーク（ＰＬＭＮ）識別子である、請求項１に記載の方法。
【請求項３】
前記第１の識別子の前記第１の要素と前記リストされた識別子の前記それぞれの要素とを比較するステップは、前記第１のワイヤレス通信セルが進化型パケットコア（ＥＰＣ）ネットワークに接続されることを示す前記第１のＳＩＢのＩｎｆｏＬｉｓｔ入力と前記リストされた識別子の前記それぞれの要素とを比較するステップを含み、前記リストされた識別子の前記それぞれの要素は、前記コアネットワークの選択されたタイプが第五世代コア（５ＧＣ）ネットワークであることを示す、請求項１または２に記載の方法。
【請求項４】
前記第１の識別子の前記第１の要素と前記リストされた識別子の前記それぞれの要素とを比較するステップは、前記第１のワイヤレス通信セルが第五世代コア（５ＧＣ）ネットワークに接続されることを示す前記第１のＳＩＢのＩｎｆｏＬｉｓｔ入力と前記リストされた識別子の前記それぞれの要素とを比較するステップを含み、前記リストされた識別子の前記それぞれの要素は、前記コアネットワークの選択されたタイプが進化型パケットコア（ＥＰＣ）ネットワークであることを示す、請求項１または２に記載の方法。
【請求項５】
前記第１のワイヤレス通信セルは、３ＧＰＰ  ＬＴＥエアインターフェイスを使用してアクセス可能である、請求項１〜３のいずれか１項に記載の方法。
【請求項６】
前記第１のＳＩＢは、システム情報ブロックタイプ１（ＳＩＢ１）である、請求項１〜５のいずれか１項に記載の方法。
【請求項７】
前記第１のワイヤレス通信セルを選択することは、前記ユーザ機器の電源投入に応答する、請求項１〜６のいずれか１項に記載の方法。
【請求項８】
前記第２のＳＩＢは、システム情報ブロックタイプ１（ＳＩＢ１）である、請求項１〜７のいずれか１項に記載の方法。
【請求項９】
前記第２の識別子の第２の要素と前記ユーザ機器内に格納された前記識別子のリストの前記それぞれの要素とを比較するステップをさらに備え、前記第２の識別子の前記第２の要素は、前記第２のワイヤレス通信セルに接続されたコアネットワークのタイプに関連付けられ、
前記第２の識別子の前記第２の要素が前記リストされた識別子の前記それぞれの要素のうちの少なくとも１つに一致することを判断するステップと、
前記第２の識別子の前記第２の要素が前記リストされた識別子の前記それぞれの要素のうちの少なくとも１つに一致すると判断したことに応答して、前記第２のワイヤレス通信セルを提供する前記第２の基地局にアタッチ要求メッセージを送信するステップとをさらに備える、請求項１〜８のいずれか１項に記載の方法。
【請求項１０】
前記第２の識別子は、ＰＬＭＮ識別子である、請求項１〜９のいずれか１項に記載の方法。
【請求項１１】
前記第２の識別子の前記第２の要素は、ＩｎｆｏＬｉｓｔ入力に対応する、請求項１０に記載の方法。
【請求項１２】
ユーザ機器であって、
プロセッサと、
セルアクセスマネージャアプリケーションを有するコンピュータ読取可能記憶媒体とを備え、前記セルアクセスマネージャアプリケーションは、命令を備え、前記命令は、前記プロセッサによって実行されると、前記ユーザ機器に、
コアネットワークのタイプを選択するように指示し、
第１のワイヤレス通信セルを選択するように指示し、
前記第１のワイヤレス通信セルを提供する第１の基地局から第１のシステム情報ブロック（ＳＩＢ）を受信するように指示し、前記第１のＳＩＢは、第１の識別子を含み、前記命令は、さらに、前記プロセッサによって実行されると、前記ユーザ機器に、
前記第１の識別子の第１の要素と前記ユーザ機器内に格納された識別子のリストのそれぞれの要素とを比較するように指示し、前記第１の識別子の前記第１の要素は、前記第１のワイヤレス通信セルに接続されたコアネットワークのタイプに関連付けられ、前記リストされた識別子の前記それぞれの要素は、前記コアネットワークの選択されたタイプに関連付けられ、前記命令は、さらに、前記プロセッサによって実行されると、前記ユーザ機器に、
前記第１の識別子の前記第１の要素が前記リストされた識別子の前記それぞれの要素のうちの少なくとも１つに一致しないことを判断するように指示し、
前記第１の識別子の前記第１の要素が前記リストされた識別子の前記それぞれの要素のうちの少なくとも１つに一致しないと判断したことに応答して、
第２のワイヤレス通信セルを選択するように指示し、
前記第２のワイヤレス通信セルを提供する第２の基地局から第２のＳＩＢを受信するように指示する、ユーザ機器。
【請求項１３】
前記命令は、非アクセス層（ＮＡＳ）レイヤおよび無線リソース制御（ＲＲＣ）レイヤに含まれる、請求項１２に記載のユーザ機器。
【請求項１４】
前記ユーザ機器内に格納された前記識別子のリストは、加入者識別モジュール（ＳＩＭ）内に格納される、請求項１２または１３に記載のユーザ機器。
【国際調査報告】
2021514127.tif 000011
2021514127.tif 000012
2021514127.tif 000013
2021514127.tif 000014